【手続補正書】
【提出日】平成24年11月8日(2012.11.8)
【手続補正１】
【補正対象書類名】特許請求の範囲
【補正対象項目名】全文
【補正方法】変更
【補正の内容】
【特許請求の範囲】
【請求項１】
１つの蓄電バンク又は直列に接続された複数の蓄電バンクから構成される蓄電ユニットが複数直列に接続されてなる蓄電モジュールと、
前記蓄電バンクを充電するための充電器と、
前記蓄電モジュールに接続され、前記蓄電バンクの充放電状態のばらつきを補正するバランス回路と、
一又はそれ以上の前記蓄電バンクの電圧及び／又は前記充電器の電圧を検出する電圧検出部と、
前記蓄電モジュールの一方の端子及び／又は前記複数の蓄電ユニットの直列接続点の一又はそれ以上の各々からスイッチを介して取り出される複数のタップと、
前記複数のタップのうちの一つが前記充電器の一方の端子と接続されるよう前記スイッチを切り替えるスイッチ制御部とを備え、
前記スイッチ制御部は、充電期間中に充電の進行に応じて、前記電圧検出部の検出結果に基づいて、前記充電器から前記バランス回路を介さずに直接充電される前記複数の蓄電ユニットの数を制御するように前記スイッチを順次切り替えることを特徴とする蓄電システム。
【請求項２】
１つの蓄電バンク又は直列に接続された複数の蓄電バンクから構成される蓄電ユニットが複数直列に接続されてなる蓄電モジュールと、
前記蓄電バンクを充電するための充電器と、
前記蓄電モジュールに接続され、前記蓄電バンクの充放電状態のばらつきを補正するバランス回路と、
一又はそれ以上の前記蓄電バンクの電圧及び／又は前記充電器の電圧を検出する電圧検出部と、
前記蓄電モジュールの一方の端子及び／又は前記蓄電モジュールの他方の端子及び／又は前記複数の蓄電ユニットの直列接続点の一又はそれ以上の各々からスイッチを介して取り出される複数のタップと、
前記複数のタップのうちの一つが前記充電器の一方の端子と接続され、且つ前記複数のタップのうちの他の一つが前記充電器の他方の端子と接続されるよう前記スイッチを切り替えるスイッチ制御部とを備え、
前記スイッチ制御部は、充電期間中に充電の進行に応じて、前記電圧検出部の検出結果に基づいて、前記充電器から前記バランス回路を介さずに直接充電される前記複数の蓄電ユニットの数を制御するように前記スイッチを順次切り替えることを特徴とする蓄電システム。
【請求項３】
前記スイッチ制御部は更に、所定の回数のスイッチ切替え後、前記複数の蓄電ユニットが複数のグループにグループ化された、該複数のグループのそれぞれに対して時分割で、充電の進行に応じて、前記電圧検出部の検出結果に基づいて、前記充電器から前記バランス回路を介さずに直接充電される前記複数の蓄電ユニットの数を制御するように前記スイッチを順次切り替えることを特徴とする請求項２に記載の蓄電システム。
【請求項４】
前記スイッチ制御部は、前記複数の蓄電ユニットが複数のグループにグループ化された、該複数のグループのそれぞれに対して時分割で、充電の進行に応じて、前記電圧検出部の検出結果に基づいて、前記充電器から前記バランス回路を介さずに直接充電される前記複数の蓄電ユニットの数を制御するように前記スイッチを順次切り替えることを特徴とする請求項２に記載の蓄電システム。
【請求項５】
前記スイッチ制御部は更に、所定の回数のスイッチ切替え後、前記複数の蓄電ユニットが該所定の回数のスイッチ切替え後の蓄電ユニットのグループの数よりも多いグループに再グループ化された、該蓄電ユニットのグループの数よりも多いグループのそれぞれに対して時分割で、充電の進行に応じて、前記電圧検出部の検出結果に基づいて、前記充電器から前記バランス回路を介さずに直接充電される前記複数の蓄電ユニットの数を制御するように前記スイッチを順次切り替えることを一又はそれ以上行うことを特徴とする請求項３又は４に記載の蓄電システム。
【請求項６】
１つの蓄電バンク又は直列に接続された複数の蓄電バンクから構成される蓄電ユニットが複数直列に接続されてなる蓄電モジュールと、
前記蓄電バンクから電力供給される負荷と、
前記蓄電モジュールに接続され、前記蓄電バンクの充放電状態のばらつきを補正するバランス回路と、
一又はそれ以上の前記蓄電バンクの電圧及び／又は前記蓄電バンクから前記負荷への放電電圧を検出する電圧検出部と、
前記蓄電モジュールの一方の端子及び／又は前記複数の蓄電ユニットの直列接続点の一又はそれ以上の各々からスイッチを介して取り出される複数のタップと、
前記複数のタップのうちの一つが前記負荷の一方の端子と接続されるよう前記スイッチを切り替えるスイッチ制御部とを備え、
前記負荷の他方の端子は、前記複数の蓄電ユニットの直列接続点のうちの一つからスイッチを介さずに取り出されるタップと接続され、
前記スイッチ制御部は、放電期間中に放電状態に応じて、前記電圧検出部の検出結果に基づいて、前記蓄電バンクから前記バランス回路を介さずに直接前記負荷へ放電する前記複数の蓄電ユニットの数を制御するように前記スイッチを順次切り替えることを特徴とする蓄電システム。
【請求項７】
１つの蓄電バンク又は直列に接続された複数の蓄電バンクから構成される蓄電ユニットが複数直列に接続されてなる蓄電モジュールと、
前記蓄電バンクから電力供給される負荷と、
前記蓄電モジュールに接続され、前記蓄電バンクの充放電状態のばらつきを補正するバランス回路と、
一又はそれ以上の前記蓄電バンクの電圧及び／又は前記蓄電バンクから前記負荷への放電電圧を検出する電圧検出部と、
前記蓄電モジュールの一方の端子及び／又は前記複数の蓄電ユニットの直列接続点の一又はそれ以上の各々からスイッチを介して取り出される複数のタップと、
前記複数のタップのうちの一つが前記負荷の一方の端子と接続されるよう前記スイッチを切り替えるスイッチ制御部とを備え、
前記蓄電バンクは、キャパシタでない蓄電セルについて、１つの蓄電セル、又は複数の蓄電セルの直列、並列、若しくは直並列接続により構成され、
前記スイッチ制御部は、放電期間中に放電状態に応じて、前記電圧検出部の検出結果に基づいて、前記蓄電バンクから前記バランス回路を介さずに直接前記負荷へ放電する前記複数の蓄電ユニットの数を制御するように前記スイッチを順次切り替えることを特徴とする蓄電システム。
【請求項８】
１つの蓄電バンク又は直列に接続された複数の蓄電バンクから構成される蓄電ユニットが複数直列に接続されてなる蓄電モジュールと、
前記蓄電バンクから電力供給される負荷と、
前記蓄電モジュールに接続され、前記蓄電バンクの充放電状態のばらつきを補正するバランス回路と、
一又はそれ以上の前記蓄電バンクの電圧及び／又は前記蓄電バンクから前記負荷への放電電圧を検出する電圧検出部と、
前記蓄電モジュールの一方の端子及び／又は前記蓄電モジュールの他方の端子及び／又は前記複数の蓄電ユニットの直列接続点の一又はそれ以上の各々からスイッチを介して取り出される複数のタップと、
前記複数のタップのうちの一つが前記負荷の一方の端子と接続され、且つ前記複数のタップのうちの他の一つが前記負荷の他方の端子と接続されるよう前記スイッチを切り替えるスイッチ制御部とを備え、
前記スイッチ制御部は、放電期間中に放電状態に応じて、前記電圧検出部の検出結果に基づいて、前記蓄電バンクから前記バランス回路を介さずに直接前記負荷へ放電する前記複数の蓄電ユニットの数を制御するように前記スイッチを順次切り替えることを特徴とする蓄電システム。
【請求項９】
前記スイッチ制御部は、前記複数の蓄電ユニットが複数のグループにグループ化された、該複数のグループのそれぞれに対して時分割で、放電状態に応じて、前記電圧検出部の検出結果に基づいて、前記負荷から前記バランス回路を介さずに直接放電される前記複数の蓄電ユニットの数を制御するように前記スイッチを順次切り替えることを特徴とする請求項８に記載の蓄電システム。
【請求項１０】
前記スイッチ制御部は更に、所定の回数のスイッチ切替え後、前記複数の蓄電ユニットを該所定の回数のスイッチ切替え後の蓄電ユニットのグループの数よりも少ないグループに再グループ化された、該蓄電ユニットのグループの数よりも少ないグループのそれぞれに対して時分割で、放電状態に応じて、前記電圧検出部の検出結果に基づいて、前記蓄電モジュールから前記バランス回路を介さずに直接前記負荷へ放電される前記複数の蓄電ユニットの数を制御するように前記スイッチを順次切り替えることを一又はそれ以上行うことを特徴とする請求項９に記載の蓄電システム。
【請求項１１】
１つの蓄電バンク又は直列に接続された複数の蓄電バンクから構成される蓄電ユニットが複数直列に接続されてなる蓄電モジュールと、
前記蓄電バンクを充電するための充電器と、
前記蓄電モジュールに接続され、前記蓄電バンクの充放電状態のばらつきを補正するバランス回路と、
一又はそれ以上の前記蓄電バンクの電圧及び／又は前記充電器の電圧を検出する電圧検出部と、
前記蓄電モジュールの一方の端子及び／又は前記複数の蓄電ユニットの直列接続点の一又はそれ以上の各々からスイッチを介して取り出される複数のタップと、
前記複数のタップのうちの一つが前記充電器の一方の端子と接続されるよう前記スイッチを切り替えるスイッチ制御部とを備え、
前記スイッチ制御部は、充電期間中に、前記電圧検出部の検出結果に基づいて、前記充電器から前記バランス回路を介さずに直接充電される前記複数の蓄電ユニットの数が減るように前記スイッチを少なくとも１回切り替えることを特徴とする蓄電システム。
【請求項１２】
１つの蓄電バンク又は直列に接続された複数の蓄電バンクから構成される蓄電ユニットが複数直列に接続されてなる蓄電モジュールと、
前記蓄電バンクを充電するための充電器と、
前記蓄電モジュールに接続され、前記蓄電バンクの充放電状態のばらつきを補正するバランス回路と、
一又はそれ以上の前記蓄電バンクの電圧及び／又は前記充電器の電圧を検出する電圧検出部と、
前記蓄電モジュールの一方の端子及び／又は前記蓄電モジュールの他方の端子及び／又は前記複数の蓄電ユニットの直列接続点の一又はそれ以上の各々からスイッチを介して取り出される複数のタップと、
前記複数のタップのうちの一つが前記充電器の一方の端子と接続され、且つ前記複数のタップのうちの他の一つが前記充電器の他方の端子と接続されるよう前記スイッチを切り替えるスイッチ制御部とを備え、
前記スイッチ制御部は、充電期間中に、前記電圧検出部の検出結果に基づいて、前記充電器から前記バランス回路を介さずに直接充電される前記複数の蓄電ユニットの数が減るように前記スイッチを少なくとも１回切り替えることを特徴とする蓄電システム。
【請求項１３】
前記スイッチ制御部は更に、所定の回数のスイッチ切替え後、前記複数の蓄電ユニットが複数のグループにグループ化された、該複数のグループのそれぞれに対して時分割で、前記電圧検出部の検出結果に基づいて、前記充電器から前記バランス回路を介さずに直接充電される前記複数の蓄電ユニットの数が減るように前記スイッチを少なくとも１回切り替えることを特徴とする請求項１２に記載の蓄電システム。
【請求項１４】
前記スイッチ制御部は、前記複数の蓄電ユニットが複数のグループにグループ化された、該複数のグループのそれぞれに対して時分割で、前記電圧検出部の検出結果に基づいて、前記充電器から前記バランス回路を介さずに直接充電される前記複数の蓄電ユニットの数が減るように前記スイッチを少なくとも１回切り替えることを特徴とする請求項１２に記載の蓄電システム。
【請求項１５】
前記スイッチ制御部は更に、所定の回数のスイッチ切替え後、前記複数の蓄電ユニットが該所定の回数のスイッチ切替え後の蓄電ユニットのグループの数よりも多いグループに再グループ化された、該蓄電ユニットのグループの数よりも多いグループのそれぞれに対して時分割で、前記電圧検出部の検出結果に基づいて、前記充電器から前記バランス回路を介さずに直接充電される前記複数の蓄電ユニットの数が減るように前記スイッチを少なくとも１回切り替えることを一又はそれ以上行うことを特徴とする請求項１３又は１４に記載の蓄電システム。
【請求項１６】
１つの蓄電バンク又は直列に接続された複数の蓄電バンクから構成される蓄電ユニットが複数直列に接続されてなる蓄電モジュールと、
前記蓄電バンクから電力供給される負荷と、
前記蓄電モジュールに接続され、前記蓄電バンクの充放電状態のばらつきを補正するバランス回路と、
一又はそれ以上の前記蓄電バンクの電圧及び／又は前記蓄電バンクから前記負荷への放電電圧を検出する電圧検出部と、
前記蓄電モジュールの一方の端子及び／又は前記複数の蓄電ユニットの直列接続点の一又はそれ以上の各々からスイッチを介して取り出される複数のタップと、
前記複数のタップのうちの一つが前記負荷の一方の端子と接続されるよう前記スイッチを切り替えるスイッチ制御部とを備え、
前記負荷の他方の端子は、前記複数の蓄電ユニットの直列接続点のうちの一つからスイッチを介さずに取り出されるタップと接続され、
前記スイッチ制御部は、放電期間中に、前記電圧検出部の検出結果に基づいて、前記蓄電バンクから前記バランス回路を介さずに直接前記負荷へ放電する前記蓄電ユニットの数が増えるように前記スイッチを少なくとも１回切り替えることを特徴とする蓄電システム。
【請求項１７】
１つの蓄電バンク又は直列に接続された複数の蓄電バンクから構成される蓄電ユニットが複数直列に接続されてなる蓄電モジュールと、
前記蓄電バンクから電力供給される負荷と、
前記蓄電モジュールに接続され、前記蓄電バンクの充放電状態のばらつきを補正するバランス回路と、
一又はそれ以上の前記蓄電バンクの電圧及び／又は前記蓄電バンクから前記負荷への放電電圧を検出する電圧検出部と、
前記蓄電モジュールの一方の端子及び／又は前記複数の蓄電ユニットの直列接続点の一又はそれ以上の各々からスイッチを介して取り出される複数のタップと、
前記複数のタップのうちの一つが前記負荷の一方の端子と接続されるよう前記スイッチを切り替えるスイッチ制御部とを備え、
前記蓄電バンクは、キャパシタでない蓄電セルについて、１つの蓄電セル、又は複数の蓄電セルの直列、並列、若しくは直並列接続により構成され、
前記スイッチ制御部は、放電期間中に、前記電圧検出部の検出結果に基づいて、前記蓄電バンクから前記バランス回路を介さずに直接前記負荷へ放電する前記蓄電ユニットの数が増えるように前記スイッチを少なくとも１回切り替えることを特徴とする蓄電システム。
【請求項１８】
１つの蓄電バンク又は直列に接続された複数の蓄電バンクから構成される蓄電ユニットが複数直列に接続されてなる蓄電モジュールと、
前記蓄電バンクから電力供給される負荷と、
前記蓄電モジュールに接続され、前記蓄電バンクの充放電状態のばらつきを補正するバランス回路と、
一又はそれ以上の前記蓄電バンクの電圧及び／又は前記蓄電バンクから前記負荷への放電電圧を検出する電圧検出部と、
前記蓄電モジュールの一方の端子及び／又は前記蓄電モジュールの他方の端子及び／又は前記複数の蓄電ユニットの直列接続点の一又はそれ以上の各々からスイッチを介して取り出される複数のタップと、
前記複数のタップのうちの一つが前記負荷の一方の端子と接続され、且つ前記複数のタップのうちの他の一つが前記負荷の他方の端子と接続されるよう前記スイッチを切り替えるスイッチ制御部とを備え、
前記スイッチ制御部は、放電期間中に、前記電圧検出部の検出結果に基づいて、前記蓄電バンクから前記バランス回路を介さずに直接前記負荷へ放電する前記蓄電ユニットの数が増えるように前記スイッチを少なくとも１回切り替えることを特徴とする蓄電システム。
【請求項１９】
前記スイッチ制御部は、前記複数の蓄電ユニットが複数のグループにグループ化された、該複数のグループのそれぞれに対して時分割で、前記電圧検出部の検出結果に基づいて、前記充電器から前記バランス回路を介さずに直接放電される前記蓄電ユニットの数が増えるように前記スイッチを少なくとも１回切り替えることを特徴とする請求項１８に記載の蓄電システム。
【請求項２０】
前記スイッチ制御部は更に、所定の回数のスイッチ切替え後、前記複数の蓄電ユニットを該所定の回数のスイッチ切替え後の蓄電ユニットのグループの数よりも少ないグループに再グループ化された、該蓄電ユニットのグループの数よりも少ないグループのそれぞれに対して時分割で、前記電圧検出部の検出結果に基づいて、前記蓄電モジュールから前記バランス回路を介さずに直接前記負荷へ放電される前記蓄電ユニットの数が増えるように前記スイッチを少なくとも１回切り替えることを一又はそれ以上行うことを特徴とする請求項１９に記載の蓄電システム。
【請求項２１】
１つの蓄電バンク又は直列に接続された複数の蓄電バンクから構成される蓄電ユニットが複数直列に接続されてなる蓄電モジュールと、
前記蓄電バンクを充電するための充電器と、
前記蓄電モジュールに接続され、前記蓄電バンクの充放電状態のばらつきを補正するバランス回路と、
一又はそれ以上の前記蓄電バンクの電圧及び／又は前記充電器の電圧を検出する電圧検出部と、
前記蓄電モジュールの一方の端子及び／又は前記蓄電モジュールの他方の端子及び／又は前記複数の蓄電ユニットの直列接続点の一又はそれ以上の各々からスイッチを介して取り出される複数のタップと、
前記複数のタップのうちの一つが前記充電器の一方の端子と接続され、且つ前記複数のタップのうちの他の一つが前記充電器の他方の端子と接続されるよう前記スイッチを切り替えるスイッチ制御部とを備え、
前記スイッチ制御部は、前記複数の蓄電ユニットが複数のグループにグループ化された、該複数のグループの各々について同じ蓄電ユニットに対して、前記充電器から前記バランス回路を介さずに直接充電することを時分割で繰り返し行うように前記スイッチを順次切り替えることを特徴とする蓄電システム。
【請求項２２】
１つの蓄電バンク又は直列に接続された複数の蓄電バンクから構成される蓄電ユニットが複数直列に接続されてなる蓄電モジュールと、
前記蓄電バンクから電力供給される負荷と、
前記蓄電モジュールに接続され、前記蓄電バンクの充放電状態のばらつきを補正するバランス回路と、
一又はそれ以上の前記蓄電バンクの電圧及び／又は前記蓄電バンクから前記負荷への放電電圧を検出する電圧検出部と、
前記蓄電モジュールの一方の端子及び／又は前記蓄電モジュールの他方の端子及び／又は前記複数の蓄電ユニットの直列接続点の一又はそれ以上の各々からスイッチを介して取り出される複数のタップと、
前記複数のタップのうちの一つが前記負荷の一方の端子と接続され、且つ前記複数のタップのうちの他の一つが前記負荷の他方の端子と接続されるよう前記スイッチを切り替えるスイッチ制御部とを備え、
前記スイッチ制御部は、前記複数の蓄電ユニットが複数のグループにグループ化された、該複数のグループの各々について同じ蓄電ユニットが負荷への直接放電を時分割で繰り返し行うように前記スイッチを順次切り替えることを特徴とする蓄電システム。